(57)【要約】【課題】  カメラレンズの汚染と損傷の脆弱性を補完したカメラ付き携帯端末を提供する。【解決手段】  本発明による携帯端末は、下部筐体と、下部筐体と連結された、第１位置と第２位置との間で回動する上部筐体と、カメラとを含み、上部筐体が第１位置になると、カメラが携帯端末から突出し、上部筐体が第２位置になると、カメラが携帯端末に収納される。映像信号（ｉｍａｇｅ  ｓｉｇｎａｌ）を生成するためのカメラと、上部筐体または下部筐体に前記カメラを収納するためのカメラ収納部とを含み、上部筐体を開くと、カメラが収納部の外部に突出し、上部筐体を閉じると、カメラがカメラ収納部に収納される。【選択図】  図７
2004173228.tif 000002
【特許請求の範囲】
【請求項１】
携帯端末において、
下部筐体と、
下部筐体と連結された、第１位置と第２位置との間で回動する上部筐体と、
カメラとを含み、
上部筐体が第１位置になると、カメラが携帯端末から突出し、上部筐体が第２位置になると、カメラが携帯端末に収納されることを特徴とする携帯端末。
【請求項２】
携帯端末に、前記カメラが収納されるカメラ収納部を有し、
上部筐体を回動動作で閉じた状態から開いていくと、カメラが収納部から突出し、
上部筐体を下部筐体に向けて回動させて閉じると、カメラが収納部に収納されることを特徴とする請求項１記載の携帯端末。
【請求項３】
カメラ収納部は、下部筐体と上部筐体との連結部位に形成されたヒンジ部に形成されることを特徴とする請求項１記載の携帯端末。
【請求項４】
前記ヒンジ部は上部筐体ヒンジ部と下部筐体ヒンジ部とから構成されることを特徴とする請求項３記載の携帯端末。
【請求項５】
カメラケースは前記ヒンジ部に隣接して形成されることを特徴とする請求項３記載の携帯端末。
【請求項６】
カメラは、レンズ及び電子回路が設置されたカメラモジュールと、
前記カメラモジュールと結合されたカメラシャフトとを含み、
前記カメラモジュールは前記上部筐体と連動することを特徴とする請求項１記載の携帯端末。
【請求項７】
カメラシャフトとカメラモジュールとが結合され、カメラモジュールがカメラシャフトに対して回転可能になっていることを特徴とする請求項６記載の携帯端末。
【請求項８】
カメラシャフトの外径をカメラモジュールの内径より小さくすることを特徴とする請求項６記載の携帯端末。
【請求項９】
カメラシャフトの一側端部に環状係止突条が形成され、
前記カメラシャフトの環状係止突条の内側にスナップリング締結溝が形成され、
カメラモジュールの一側端部にカメラシャフトの環状係止突条より小径の係止段部が形成されて、
前記カメラシャフトの前記カメラモジュールへの挿入後に離脱を防止するために、スナップリング締結溝にスナップリングを結合させることを特徴とする請求項６記載の携帯端末。
【請求項１０】
多数のスナップ溝がカメラモジュールの一側端面に形成され、
多数のスナップ突起がカメラモジュールに隣接したスナップリングに形成され、
前記スナップ溝と前記スナップ突起とが結合することを特徴とする請求項６記載の携帯端末。
【請求項１１】
前記ヒンジ部には内部に突出した駆動ピンが形成され、
前記カメラシャフトには外周面に前記駆動ピンが結合される案内溝が形成されて、
前記駆動ピンと前記案内溝との結合により、上部筐体の下部筐体からの移動を自在にすることを特徴とする請求項６記載携帯端末。
【請求項１２】
下部筐体と上部筐体との連結部位にヒンジ部が形成され、
カメラサプトの一側に両側が切り欠いた係止フックが形成され、
ヒンジ部分の内周面に環状係止突条が内部に突設されて、係止フックと環状係止突条とが結合することを特徴とする請求項６記載の携帯端末。
【請求項１３】
下部筐体と上部筐体との連結部位にヒンジ部が形成され、
カメラシャフトの長手方向に沿って直線状の案内溝が形成され、
ヒンジ部分の内周面に直線状のスライドリブが形成されて、前記スライドリブを前記案内溝に結合することにより、カメラシャフトを案内することを特徴とする請求項６記載の携帯端末。
【請求項１４】
下部筐体と上部筐体との連結部位にヒンジ部が形成され、
カメラシャフトの長手方向に沿って一側に直線状のスライドリブが形成され、
ヒンジ部の内周面に直線状の案内溝が形成されて、前記スライドリブを前記案内溝に結合することにより、カメラシャフトを案内することを特徴とする請求項６記載の携帯端末。
【請求項１５】
下部筐体と上部筐体との連結部位にヒンジ部が形成され、
ヒンジ部に２つの駆動ピンが形成され、
カメラシャフトに２つの案内溝が形成されること特徴とする請求項６記載の携帯端末。
【請求項１６】
カメラケースはヒンジ部に隣接して形成されることを特徴とする請求項６記載の携帯端末。
【請求項１７】
上部筐体が使用者の作動によって第一位置（ｐｏｓｉｔｉｏｎ）になると、カメラが突出することを特徴とする請求項１記載の携帯端末。
【請求項１８】
携帯端末において、
第１本体と、
第２本体と、
第１本体と第２本体とを連結するヒンジ部と、
ヒンジ部に内蔵されたカメラホルダー（ｈｏｌｄｅｒ）と、
カメラホルダー部に内蔵されたカメラとを含み、第１本体と第２本体との間で第一予定角になると、カメラはカメラホルダーから突出し、第１本体と第２本体との間で第二予定角になると、カメラはカメラホルダー内に収まることを特徴とする携帯端末。
【請求項１９】
カメラはカメラレンズを含み、
第１本体と第２本体との間で第二予定角になると、カメラレンズはカメラホルダー（ｈｏｌｄｅｒ）内に収納され、
第１本体と第２本体との間で第一予定角になると、カメラレンズはカメラホルダー（ｈｏｌｄｅｒ）の外部に露出することを特徴とする請求項１８記載の携帯端末。
【請求項２０】
第一予定角が第二予定角より大きいことを特徴とする請求項１８記載の携帯端末。
【請求項２１】
回転型カメラホルダー（ｈｏｌｄｅｒ）は第二予定角から第一予定角まで回転し、
カメラは使用者の作動によりカメラホルダー内部からカメラホルダー外部に突出することを特徴とする請求項１８記載の携帯端末。
【請求項２２】
ヒンジカメラにおいて、
第１部分と、
第２部分と、
第１部分と第２部分との連結部位に形成されるヒンジ部と、
ヒンジ部に内蔵されたカメラホルダーと、
カメラホルダー内に内蔵されたカメラとを含み、カメラはカメラレンズを含み、カメラレンズは第一予定角になるとカメラホルダー内に収納され、第二予定角になるとカメラホルダーから突出することを特徴とするヒンジカメラ。
【請求項２３】
前記回転型カメラホルダー内に設置された電子回路と、
ヒンジ部の内部に突設した駆動ピンと、
ヒンジ部に形成された案内溝とを含み、
駆動ピンが案内溝に結合し、前記案内溝に結合した前記駆動ピンは、カメラホルダーからのカメラレンズの露出・収納をコントロールし、第１部分と第２部分とはそれぞれ携帯端末の上部筐体と下部筐体とになることを特徴とする請求項２２記載のヒンジカメラ。
【請求項２４】
携帯端末の作動方法において、
下部筐体を提供し、
前記携帯端末は上部筐体の回動動作により開閉し、まるで上部筐体が開かれるように、携帯端末のカメラが外部に突出することを特徴とする携帯端末の作動方法。
【発明の詳細な説明】
【技術分野】
【０００１】
本発明は、カメラ付き携帯端末に係り、特にカメラモジュールをカメラケース内に収納する端末に関する。
【背景技術】
【０００２】
最近、携帯端末にカメラを搭載して映像情報も送受信する端末が生産されている。カメラをケースに固定した固定型カメラがあれば、図１に示すように、下部筐体４に結合した上部筐体３の一部に回転可能に設置した回転型カメラもある。従来の固定型カメラは端末全体を動かしてカメラの視野角度を調整し、一方、回転型カメラは映像撮影のために適当な角度に回転させることができる。
【０００３】
カメラが外部に露出している構造の、図１のモジュール１を有する携帯端末において、カメラ付き携帯端末１００は、使用可否に関係なくカメラが常時外部に露出していることから、カメラレンズ２が汚染しやすく、損傷を被るおそれがある。
【０００４】
ここで、付加的で具体的な細部事項、特徴、技術的背景などの言及により上記の言及が具体化される。
【発明の開示】
【発明が解決しようとする課題】
【０００５】
本発明は、従来の携帯端末の限界と短所のために引き起こされる問題を本質的に克服するためのもので、その目的は、カメラレンズの汚染と損傷の脆弱性を補完したカメラ付き携帯端末を提供することにある。
【課題を解決するための手段】
【０００６】
上記目的を達成するために、本発明の携帯端末は、映像信号（ｉｍａｇｅ  ｓｉｇｎａｌ）を生成するためのカメラと、上部筐体または下部筐体に前記カメラを収納するためのカメラ収納部とを含み、上部筐体を開くと、カメラが収納部の外部に突出し、上部筐体を閉じると、カメラがカメラ収納部に収納されることを特徴とする。また、カメラ収納部は上部筐体と下部筐体を結合するヒンジ部に形成される。
【０００７】
前記ヒンジ部は、内部にカメラを収納するために上部筐体ヒンジ部と下部筐体ヒンジ部とから構成され、上部筐体を開くとカメラがヒンジ部の外部に突出し、上部筐体を閉じるとカメラがヒンジ部内のカメラ収納空間に収納されるように機能する。
【０００８】
また、カメラは、レンズ及び電子回路を有するカメラモジュールと、カメラモジュールと結合される、上部筐体ヒンジ部と連動するカメラシャフトとを含む。カメラモジュールはカメラシャフトと結合し、反対方向に作動する。
【０００９】
円筒状のカメラモジュールはより小径のカメラシャフトの外周面を外嵌しており、カメラモジュールはカメラシャフトに対して回転可能になっている。カメラシャフトの外径はカメラモジュールの内径より小さい。カメラシャフトの一側端部に環状係止突条が形成され、カメラモジュールの一側端部に前記環状係止突条より小径の環状係止段部が形成され、スナップリング締結溝にスナップリングが結合されることにより、カメラモジュールに挿入されたカメラシャフトの離脱を防止する。
【００１０】
カメラモジュールの一側端面には多数のスナップ溝が形成され、スナップリングには多数のスナップ突起が形成される。前記スナップリングと前記スナップ突起との結合により、モジュールの一定角度ずつの回転時にそれ以上の回転力が加えられなければ、その位置に停止することになる。
【００１１】
上部筐体ヒンジ部には内側に突出した駆動ピンが形成され、カメラシャフトの外周面に前記駆動ピンが係合される斜めの案内溝が形成されている。よって、前記駆動ピンが前記案内溝に結合され、上部筐体が垂直方向に回動すると、カメラシャフトが水平方向に移動する。
【００１２】
カメラシャフトのその先端に、両側が切り欠いた弾性体形状の係止フックが形成され、上部筐体ヒンジ部の内周面には環状係止突条が内部に突設されていて、シャフトが上部筐体ヒンジ部に収納された後、ヒンジからの離脱が防止される。
【００１３】
カメラシャフトの一側にはシャフトの長手方向に沿って直線状の案内溝が形成され、カメラケースの内周面には直線状のスライドリブ（図６ａ）が形成されていて、カメラシャフトがカメラケースに収納されると、前記スライドリブがカメラシャフトの案内溝に結合されるようになり、カメラシャフトの直線移動が案内される。
【００１４】
上部筐体ヒンジ部に２つの駆動ピンを形成し、カメラシャフトに２つの案内溝を形成する。ヒンジ部に隣接してカメラケースが形成される。
【００１５】
また、上記目的を達成するために、本発明の携帯端末は、第１本体（ａ  ｆｉｒｓｔ  ｂｏｄｙ  ｐａｒｔ）と、第２本体（ａ  ｆｉｒｓｔ  ｂｏｄｙ  ｐａｒｔ）と、第１本体及び第２本体に一体化されているヒンジ部と、ヒンジ部に内蔵された回転型カメラホルダー（ｈｏｌｄｅｒ）と、カメラとを含み、前記カメラは、第１本体と第２本体との間で第１予定角になるとカメラホルダーから突出し、第１本体と第２本体との間で第２予定角になるとカメラホルダーに収納される。
【００１６】
また、上記目的を達成するために、本発明のヒンジカメラは、第１部分（ａ  ｆｉｒｓｔ  ｐａｒｔ）と、第２部分（ａ  ｓｅｃｏｎｄ  ｐａｒｔ）と、第１部分及び第２部分に一体化されているヒンジ部と、前記ヒンジ部内に内蔵されたカメラホルダー（ｈｏｌｄｅｒ）と、前記カメラホルダー内部に内蔵されたカメラとを含み、前記カメラはカメラレンズを含み、前記カメラレンズは、第１予定角になるとカメラホルダー内部に収納され、第２予定角になるとカメラホルダーから突出する。
【００１７】
本発明による携帯端末は、下部筐体と、下部筐体と連結された、第１位置と第２位置との間で回動する上部筐体と、カメラとを含み、上部筐体が第１位置になると、カメラが携帯端末から突出し、上部筐体が第２位置になると、カメラが携帯端末に収納されることを特徴し、それにより上記目的を達成する。
【００１８】
携帯端末に、前記カメラが収納されるカメラ収納部を有し、上部筐体を回動動作で閉じた状態から開いていくと、カメラが収納部から突出し、上部筐体を下部筐体に向けて回動させて閉じると、カメラが収納部に収納されることを特徴としてもよい。
【００１９】
カメラ収納部は、下部筐体と上部筐体との連結部位に形成されたヒンジ部に形成されることを特徴としてもよい。
【００２０】
前記ヒンジ部は上部筐体ヒンジ部と下部筐体ヒンジ部とから構成されることを特徴としてもよい。
【００２１】
カメラケースは前記ヒンジ部に隣接して形成されることを特徴としてもよい。
【００２２】
カメラは、レンズ及び電子回路が設置されたカメラモジュールと、前記カメラモジュールと結合されたカメラシャフトとを含み、前記カメラモジュールは前記上部筐体と連動することを特徴としてもよい。
【００２３】
カメラシャフトとカメラモジュールとが結合され、カメラモジュールがカメラシャフトに対して回転可能になっていることを特徴としてもよい。
【００２４】
カメラシャフトの外径をカメラモジュールの内径より小さくすることを特徴としてもよい。
【００２５】
カメラシャフトの一側端部に環状係止突条が形成され、前記カメラシャフトの環状係止突条の内側にスナップリング締結溝が形成され、カメラモジュールの一側端部にカメラシャフトの環状係止突条より小径の係止段部が形成されて、前記カメラシャフトの前記カメラモジュールへの挿入後に離脱を防止するために、スナップリング締結溝にスナップリングを結合させることを特徴としてもよい。
【００２６】
多数のスナップ溝がカメラモジュールの一側端面に形成され、多数のスナップ突起がカメラモジュールに隣接したスナップリングに形成され、前記スナップ溝と前記スナップ突起とが結合することを特徴としてもよい。
【００２７】
前記ヒンジ部には内部に突出した駆動ピンが形成され、前記カメラシャフトには外周面に前記駆動ピンが結合される案内溝が形成されて、前記駆動ピンと前記案内溝との結合により、上部筐体の下部筐体からの移動を自在にすることを特徴としてもよい。
【００２８】
下部筐体と上部筐体との連結部位にヒンジ部が形成され、カメラサプトの一側に両側が切り欠いた係止フックが形成され、ヒンジ部分の内周面に環状係止突条が内部に突設されて、係止フックと環状係止突条とが結合することを特徴としてもよい。
【００２９】
下部筐体と上部筐体との連結部位にヒンジ部が形成され、カメラシャフトの長手方向に沿って直線状の案内溝が形成され、ヒンジ部分の内周面に直線状のスライドリブが形成されて、前記スライドリブを前記案内溝に結合することにより、カメラシャフトを案内することを特徴としてもよい。
【００３０】
下部筐体と上部筐体との連結部位にヒンジ部が形成され、カメラシャフトの長手方向に沿って一側に直線状のスライドリブが形成され、ヒンジ部の内周面に直線状の案内溝が形成されて、前記スライドリブを前記案内溝に結合することにより、カメラシャフトを案内することを特徴としてもよい。
【００３１】
下部筐体と上部筐体との連結部位にヒンジ部が形成され、ヒンジ部に２つの駆動ピンが形成され、カメラシャフトに２つの案内溝が形成されること特徴としてもよい。
【００３２】
カメラケースはヒンジ部に隣接して形成されることを特徴としてもよい。
【００３３】
上部筐体が使用者の作動によって第一位置（ｐｏｓｉｔｉｏｎ）になると、カメラが突出することを特徴としてもよい。
【００３４】
本発明による携帯端末は、第１本体と、第２本体と、第１本体と第２本体とを連結するヒンジ部と、ヒンジ部に内蔵されたカメラホルダー（ｈｏｌｄｅｒ）と、カメラホルダー部に内蔵されたカメラとを含み、第１本体と第２本体との間で第一予定角になると、カメラはカメラホルダーから突出し、第１本体と第２本体との間で第二予定角になると、カメラはカメラホルダー内に収まることを特徴とし、それにより上記目的を達成する。
【００３５】
カメラはカメラレンズを含み、第１本体と第２本体との間で第二予定角になると、カメラレンズはカメラホルダー（ｈｏｌｄｅｒ）内に収納され、第１本体と第２本体との間で第一予定角になると、カメラレンズはカメラホルダー（ｈｏｌｄｅｒ）の外部に露出することを特徴としてもよい。
【００３６】
第一予定角が第二予定角より大きいことを特徴としてもよい。
【００３７】
回転型カメラホルダー（ｈｏｌｄｅｒ）は第二予定角から第一予定角まで回転し、カメラは使用者の作動によりカメラホルダー内部からカメラホルダー外部に突出することを特徴としてもよい。
【００３８】
本発明によるヒンジカメラは、第１部分と、第２部分と、第１部分と第２部分との連結部位に形成されるヒンジ部と、ヒンジ部に内蔵されたカメラホルダーと、カメラホルダー内に内蔵されたカメラとを含み、カメラはカメラレンズを含み、カメラレンズは第一予定角になるとカメラホルダー内に収納され、第二予定角になるとカメラホルダーから突出することを特徴とし、それにより上記目的を達成する。
【００３９】
前記回転型カメラホルダー内に設置された電子回路と、ヒンジ部の内部に突設した駆動ピンと、ヒンジ部に形成された案内溝とを含み、駆動ピンが案内溝に結合し、前記案内溝に結合した前記駆動ピンは、カメラホルダーからのカメラレンズの露出・収納をコントロールし、第１部分と第２部分とはそれぞれ携帯端末の上部筐体と下部筐体とになることを特徴としてもよい。
【００４０】
本発明による携帯端末の作動方法は、携帯端末の作動方法において、下部筐体を提供し、前記携帯端末は上部筐体の回動動作により開閉し、まるで上部筐体が開かれるように、携帯端末のカメラが外部に突出することを特徴とし、それにより上記目的を達成する。
【発明の効果】
【００４１】
本発明によれば、携帯端末のヒンジ部に動く装置とカメラを収納することができる。携帯端末の第１位置（例えば、閉じる）及び第２位置（例えば、開く）動作に連動してカメラを外部側に突出させたり内部に収めるようにする他の形態も可能である。
【００４２】
相応の動作により、カメラをコントロールすることができる。本発明は、相応の動作が、カメラの突出・収納に限定されるものではない。しかも、携帯端末は完全に収納されずに若干露出できるなど様々な位置（形状）を有することができる。
【００４３】
また、本発明によれば、端末が閉じている場合には、カメラケース内にカメラモジュールが収納されていて、外部の危険からカメラモジュール及びカメラレンズを保護することができる。よって、カメラを保護するのみならず、カメラをより便利に使うことができる。
【発明を実施するための最良の形態】
【００４４】
本発明は、上部筐体及び下部筐体を有する携帯端末であり、本実施例は、カメラが端末内に内蔵され、前記上部筐体の開閉動作に連動して、カメラレンズを外部に突出させたり内部に収めるようにする特徴を持つ。特にカメラは、端末を閉じると端末内に収まる。すなわち、カメラは、端末を閉じると端末のヒンジ部に収納されるので、端末のヒンジ部内に位置し、外部からカメラを保護することが可能となる。
【００４５】
本発明の一実施例を説明すると、カメラ収納のために、開閉する上部筐体と下部筐体との連結部位にヒンジ部を形成し、上部筐体を下部筐体に向けて回動させて閉じる（折り畳む）と、カメラレンズがヒンジ部内のカメラ収納部に収納され、撮影のために上部筐体を回動動作で閉じた状態から開いていくと、カメラレンズが端末のヒンジ部から外部に突出するようになる。
【００４６】
図７に示すように、ＬＣＤ或いは他のディスプレイ（ｄｉｓｐｌａｙ）を有する上部筐体１０と、キーパッド及び送受信電子回路を有する下部筐体ケース２０とを結合する円筒状ヒンジ部が形成される。前記円筒状ヒンジ部にはその内部にカメラ３０を収納する空間が形成される。
【００４７】
前記ヒンジ部は、カメラ３０を収納し且つ上部筐体１０と下部筐体２０とを結合させるために、上部筐体ヒンジ部１１と下部筐体ヒンジ部１２とが互いに結合される。このヒンジ部１１、１２により、上部筐体１０が下部筐体２０に対して所定の角度、即ち略１８０°範囲内で回動自在になっている。上部筐体ヒンジ部１１及び下部筐体ヒンジ部１２は両方とも中空状の円筒形或いは他の形状になっていて、カメラシャフト４０とカメラモジュール３１とを収容することができる。
【００４８】
上部筐体ヒンジ部１１または下部筐体ヒンジ部１２とほぼ同じ大きさのカメラケース２１が、下部筐体ヒンジ部１２に隣接して形成される。上部筐体ヒンジ部１１及び下部筐体ヒンジ部１２はカメラを収納し、カメラケース２１を提供する。前記カメラケース２１によって外力や汚染からカメラを保護することができる。
【００４９】
また、円筒状または他の形状の収納型カメラ３０は、上部筐体１０を開いていくと突出し、使用可能となる。すなわち、端末１００を利用するために、上部筐体１０を下部筐体２０に対して回動させて開いていくと、カメラケース２１内に収納されているカメラ３０が外部に突出するか、或いは上部筐体１０が回動してカメラ３０が露出してしまう。
【００５０】
図３に示すように、カメラ３０は、円筒状または他の形状のカメラモジュール３１（ここでは円筒状）と、前記カメラモジュール３１より小径の円筒状或いは他の形状のカメラシャフト４０とを含む。図３ｃに示すように、カメラモジュール３１にカメラシャフト４０が挿入され、前記カメラモジュール３１及びカメラシャフト４０はスナップリング３８によって固定される。しかしながら、スナップリング３８なしに前記カメラモジュール３１及びカメラシャフト４０を固定することもできる。ｓｃｒｅｗ  ｏｎ  ｒｉｎｇｓ、  ｅｌａｓｔｏｍｅｒｉｃ  ｒｉｎｇｓ、  ｓｈｒｉｎｋ  ｆｉｔ  ｒｉｎｇｓ  ｏｒ  ｃｌａｍｐ  ｔｙｐｅ  ｄｅｖｉｃｅｓなどの装置がカメラシャフト４０のカメラモジュール３１への挿入に使用される。
【００５１】
すなわち、図３ｃに示すように、カメラモジュール３１とカメラシャフト４０とが締結される。前記カメラモジュール３１を前記カメラシャフト４０に外挿することにより締結される。前記カメラシャフト４０の一側端部に形成された環状係止突条４６は、前記カメラモジュール３１の一側端部から内部に突出した環状係止段部３７に係止される。スナップリング３８を固定するために、カメラシャフト４０に形成されたスナップリング締結溝４４にスナップリング３８を合わせ、これにより前記カメラシャフト４０と前記カメラモジュール３１とが締結される。
【００５２】
カメラシャフト４０はカメラモジュール３１に挿入され、カメラシャフト４０の外径がカメラモジュール３１の内径より小さいということが重要である。すなわち、カメラシャフト４０及びカメラモジュール３１はそれぞれ一定の直径を有し、カメラシャフト４０は要求されるカメラモジュール３１内で回転自在になっている。
【００５３】
また、図３ｃに示すように、スナップリング３８に多数のスナップ突起３９が形成され、カメラモジュール３１の一側端面に多数のスナップ溝３６が形成される。前記スナップ溝３６とスナップ突起３９との結合により、カメラモジュール３１とカメラシャフト４０との間に所定の角度が形成される。すなわち、スナップ溝３６とスナップ突起３９とを結合することにより、カメラモジュール３１とカメラシャフト４０との間に所定の角度が形成される。前記スナップ溝３６とスナップ突起３９とは、所定の角度に固定され、スライドを最小化しながら、カメラモジュール３１を保持する。
【００５４】
カメラモジュール３１内にカメラシャフト４０が結合された後、次いで、モジュール３１内には、カメラレンズ３２或いはイメージキャプチャー（ｃａｐｔｕｒｉｎｇ）装置と複数の映像獲得用電子回路とが設置される。図３ｃに示すように、蓋３３の結合によりモジュール３１の内部が保護される。この時、蓋３３は螺子式、強制結合方式、または完全密封方式などでカメラ３０に結合することができる。
【００５５】
図４に示すように、上部筐体ヒンジ部１１には駆動ピン１４が形成され、前記駆動ピン１４の作動により、端末１００の開閉動作に連動してカメラ３０が内・外部に突出・収納される。前記上部筐体ヒンジ部１１内のカメラシャフト４０の外周面に斜めの案内溝４１が形成され、ここに前記駆動ピン１４が係合される。前記上部筐体ヒンジ部１１内部におけるこの係合によりカム機能を持つようになる。上部筐体１０が垂直方向に回動すると、カメラシャフト４０が水平方向に移動し、ヒンジ部１１、１２及びカメラケース２１から露出する。
【００５６】
図３ｂ及び図３ｃに示すように、カメラシャフト４０の先端には、両側が切り欠いた弾性体形状の係止フック４５が形成される。上部筐体ヒンジ部１１にカメラシャフト４０が収納されると、係止フック４５が環状係止突条１６に係合される。
【００５７】
図５ａに示すように、カメラシャフト４０の長手方向の一側に直線状の案内溝４２ａが形成される。また、図５ａ及び図６ａに示すように、カメラケース２１の内周面に直線状のスライドリブ２５ａが形成される。図５ａに示すように、カメラケース２１にカメラシャフト４０が収納されると、直線状ののスライドリブ２５ａはカメラシャフト４０の直線状の案内溝４２ａに嵌合され、カメラケース２１へのカメラシャフト４０の移動を案内する。
【００５８】
図４に示すように、上部筐体ヒンジ部１１内部に突出した駆動ピン１４はカメラシャフト４０の斜めの案内溝４１に係合される。この時重要な点は、斜めの案内溝４１は必要に応じて螺旋形の案内溝に取り替えることができる。また、上部筐体１０を開いていくと、駆動ピン１４は斜めの案内溝４１に沿ってスライドする。このスライド作動によってカメラシャフト４０が動き始め、カメラシャフト４０と結合したカメラモジュール３１のカメラレンズ３２は、カメラケース２１から外部に突出し、対象物の撮影に適した状態となる。
【００５９】
この際、図５ａに示すように、カメラシャフト４０は、シャフト４０を横切る直線状の案内溝４２ａと直線状のスライドリブ２５ａとにより、直線上に移動する。上部筐体１０を完全に開いていくと、カメラシャフト４０先端の係止フック４５が環状係止突条１６のほうに近づき、所定の角度になると、係止フック４５が環状係止突条１６に係止され、これによりカメラシャフト４０がそれ以上突出しない。
【００６０】
カメラシャフト４０の移動を案内するために他の実施例を適用することができる。図５ｂ及び図６ｂに示すように、直線状のスライドリブ２５ａと直線状の案内溝４２ａを逆にすることができる。すなわち、図５ｂ及び図６ｂに示すように、カメラシャフト４０にスライドリブ４２ｂを形成し、カメラケース２１に案内溝２５ｂを形成することができる。
【００６１】
さらに、上部筐体ヒンジ部１１に２つの駆動ピンを形成し、カメラシャフト４０に２つの案内溝を形成すると、カメラの動作がより確実で且つ安定になる。この際、駆動ピン１４と案内溝４１の形成部位を逆にすることもでき、また案内溝とスライドリブの形成部位を逆にすることもできる。
【００６２】
次に、上記構成の端末の動作について説明する。上部筐体１０を回動動作で閉じた状態から開いていくと、上部筐体ヒンジ部１１が回転し始め、駆動ピン１４の回転によりカメラシャフト４０が所定の角度を形成するようになる。上部筐体１０の回動によりカメラシャフト４０が動きはじめ、カメラモジュール３１がカメラケース２１の外部に露出し、カメラモジュール３１が所定の角度になると、カメラレンズ３２が完全に外部に露出するようになる。カメラレンズ３２が外部に露出すると、そのときから撮影が可能である。
【００６３】
上部筐体１０の回動動作によって上部筐体１０と下部筐体２０との間の角度を調整できる如く、前記上部筐体１０の回動動作によってカメラ３０とカメラレンズ３２の向きを調整できるようになっていることから、被写体に応じて任意に撮影角度を調整することができる。使用者が上部筐体１０を閉じると、各構成要素が逆順で作動し、カメラモジュール３１がカメラケース２１内に収まり保護される。
【００６４】
前述した実施例は、只例示的なものに過ぎないもので、本発明は上記実施例に限定されるものではない。本発明の開示内容は他の類型の装置に容易に適用することができる。また、本発明についての説明は只例示的な目的のためのもので、特許請求の範囲を制限するものではない。本発明の多様な代替、変形及び修正が可能なのは当業者によって容易に理解されるであろう。
【００６５】
以上説明したように、本発明によれば、携帯端末のヒンジ部に動く装置とカメラを収納することができる。しかしながら、本発明は上記実施例に限定されるものではない。携帯端末の第１位置（例えば、閉じる）及び第２位置（例えば、開く）動作に連動してカメラを外部側に突出させたり内部に収めるようにする他の形態も可能である。
【００６６】
相応の動作により、カメラをコントロールすることができる。本発明は、相応の動作が、カメラの突出・収納に限定されるものではない。しかも、携帯端末は完全に収納されずに若干露出できるなど様々な位置（形状）を有することができる。
【００６７】
また、本発明によれば、端末が閉じている場合には、カメラケース内にカメラモジュールが収納されていて、外部の危険からカメラモジュール及びカメラレンズを保護することができる。よって、カメラを保護するのみならず、カメラをより便利に使うことができる。
【図面の簡単な説明】
【００６８】
【図１】従来のカメラ付き携帯端末の斜視図である。
【図２ａ】本発明のカメラ付き携帯端末を上部筐体の開放度により示す斜視図である。
【図２ｂ】本発明のカメラ付き携帯端末を上部筐体の開放度により示す斜視図である。
【図２ｃ】本発明のカメラ付き携帯端末を上部筐体の開放度により示す斜視図である。
【図３ａ】本発明のカメラモジュールの形状を説明するための斜視図である。
【図３ｂ】本発明のカメラモジュールの形状を説明するための斜視図である。
【図３ｃ】本発明のカメラモジュールの形状を説明するための斜視図である。
【図４】本発明の端末のカメラケース内側から外側にカメラが突出する形状を示す作動状態図である。
【図５ａ】本発明のカメラケース内に収納された収納型カメラの形状を示す斜視図である。
【図５ｂ】本発明のカメラケース内に収納された収納型カメラの形状を示す斜視図である。
【図６ａ】本発明のカメラケース内の案内溝及びスライドリブを示す斜視図である。
【図６ｂ】本発明のカメラケース内の案内溝及びスライドリブを示す斜視図である。
【図７】カメラケース内にカメラモジュールが結合されることを説明するための分解斜視図である。
【符号の説明】
【００６９】
１０  上部筐体
１１  上部筐体ヒンジ
１２  下部筐体ヒンジ
１４  駆動ピン
１６  環状係止突条
２０  下部筐体
２１  カメラケース
２５ａ  スライドリブ
３０  カメラ
３１  カメラモジュール
３２  カメラレンズ
３３  蓋
３６  スナップ溝
３８  スナップリング
３９  スナップ突起
４０  カメラシャフト
４１  案内溝
４２ａ  案内溝
４４  スナップ締結溝
４５  係止フック
４６  環状係止突条
【図１】
2004173228.tif 000003
【図２ａ】
2004173228.tif 000004
【図２ｂ】
2004173228.tif 000005
【図２ｃ】
2004173228.tif 000006
【図３ａ】
2004173228.tif 000007
【図３ｂ】
2004173228.tif 000008
【図３ｃ】
2004173228.tif 000009
【図４】
2004173228.tif 000010
【図５ａ】
2004173228.tif 000011
【図５ｂ】
2004173228.tif 000012
【図６ａ】
2004173228.tif 000013
【図６ｂ】
2004173228.tif 000014
【図７】
2004173228.tif 000015